(57)【要約】【課題】フレームにシート材等を直接貼り付けることができる調光装置を提供する。【解決手段】調光装置１０は、光学特性が第１の方向に沿って変化する第１の調光領域が、前記第１の方向に複数配列された第１の調光板１１と、第１の調光板１１に対向するように配置され、第１の調光領域に対応する第２の調光領域が、前記第１の方向に複数配列された第２の調光板１２と、第１の調光板１１及び第２の調光板１２の外周縁を囲み、第１の調光板１１及び第２の調光板１２を前記第１の調光板及び前記第２の調光板を前記第１の方向に相対移動可能に保持するフレーム２０と、を備え、フレーム２０の少なくとも１辺は、表面及び裏面のうち少なくとも一方の面が平坦である。【選択図】図１
2017219777.tif 000002
【特許請求の範囲】
【請求項１】
光学特性が第１の方向に沿って変化する第１の調光領域が、前記第１の方向に複数配列された第１の調光板と、
前記第１の調光板に対向するように配置され、前記第１の調光領域に対応する第２の調光領域が、前記第１の方向に複数配列された第２の調光板と、
前記第１の調光板及び前記第２の調光板の外周縁を囲み、前記第１の調光板及び前記第２の調光板を相対的にスライド可能に保持するフレームと、を備え、
前記フレームの少なくとも一部は、表面及び裏面のうち少なくとも一方の面が平坦である調光装置。
【請求項２】
請求項１に記載の調光装置において、
前記フレームの表面及び裏面は、平坦な面であること、
を特徴とする調光装置。
【請求項３】
請求項１又は請求項２に記載の調光装置において、
前記フレームの少なくとも１辺の側面は、平坦な面であること、
を特徴とする調光装置。
【請求項４】
請求項１から請求項３までのいずれか１項に記載の調光装置において、
前記フレームは、ベース部材と、前記ベース部材上に位置し、前記第１の調光板及び前記第２の調光板を保持するレール部材と、有し、
前記ベース部材は、中空構造を有し、一部が肉厚であること、
を特徴とする調光装置。
【請求項５】
請求項１から請求項３までのいずれか１項に記載の調光装置において、
平坦な面に配置された意匠シートを更に備えること、
を特徴とする調光装置。
【発明の詳細な説明】
【技術分野】
【０００１】
本開示は、対向する少なくとも２つの調光板により光の透過を制御する調光装置に関する。
【背景技術】
【０００２】
対向する一対の調光板を保持し、この調光板をスライドさせて重なり合う部位を変化させることにより、透過光を制御して調光を図る調光装置が提案されている（例えば、特許文献１〜４）。
【０００３】
このような調光装置では、フレーム内において、一方の調光板が、他方の調光板に対してスライド可能に保持されており、一方の調光板をスライドさせることにより調光装置を通過する光の透過率を制御している。
【先行技術文献】
【特許文献】
【０００４】
【特許文献１】特開２０１３−９２７０７号公報
【特許文献２】特開平９−３１０５６７号公報
【特許文献３】特表２０１４−５０７６７６号公報
【特許文献４】米国特許第８３１０７５７号明細書
【発明の概要】
【発明が解決しようとする課題】
【０００５】
調光装置において、フレームに段差、凹凸等があると、フレームの表面に意匠シート等のシート材を直接貼り付けることが困難であった。
【０００６】
本発明の課題は、フレームにシート材等を直接貼り付けることができる調光装置を提供することである。
【課題を解決するための手段】
【０００７】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
第１の発明は、光学特性が第１の方向に沿って変化する第１の調光領域が、前記第１の方向に複数配列された第１の調光板（１１）と、前記第１の調光板に対向するように配置され、前記第１の調光領域に対応する第２の調光領域が、前記第１の方向に複数配列された第２の調光板（１２）と、前記第１の調光板及び前記第２の調光板の外周縁を囲み、前記第１の調光板及び前記第２の調光板を相対移動可能に保持するフレーム（２０）と、を備え、前記フレームの少なくとも一部は、表面及び裏面のうち少なくとも一方の面が平坦である調光装置（１０）である。
第２の発明は、第１の発明の調光装置（１０）において、前記フレーム（２０）の表面及び裏面は、平坦な面であることを特徴とする調光装置である。
第３の発明は、第１又は第２の発明の調光装置（１０）において、前記フレーム（２０）の少なくとも１辺の側面は、平坦な面であることを特徴とする調光装置である。
第４の発明は、第１から第３までのいずれかの発明の調光装置（１０）において、前記フレーム（２０）は、ベース部材と、前記ベース部材上に位置し、前記第１の調光板及び前記第２の調光板を保持するレール部材と、を有し、
前記ベース部材は、中空構造を有し、一部が肉厚であることを特徴とする調光装置（１０）である。
第５の発明は、第１から第３までのいずれかの発明の調光装置（１０）において、平坦な面に配置された意匠シート（３０）を更に備えることを特徴とする調光装置。
【発明の効果】
【０００８】
本発明によれば、フレームにシート材等を直接貼り付けることができる調光装置を提供することができる。
【図面の簡単な説明】
【０００９】
【図１】実施形態の調光装置１０を説明する図である。
【図２】フレーム２０の分解平面図である。
【図３】フレーム２０を説明する図である。
【図４】調光装置１０への意匠シート３０の貼り付けを説明する図である。
【図５】一対の調光板１１，１２の構成を詳細に示す図である。
【図６】調光板１１，１２の位相差領域を説明する図である。
【図７】調光板１１，１２の他の構成を説明する図である。
【図８】変形形態のフレーム２００を説明する図である。
【図９】フレーム２０の他の構成を説明する図である。
【発明を実施するための形態】
【００１０】
以下、本発明の実施形態ついて説明する。なお、本明細書に添付した図面においては、理解しやすさ等を考慮して、各部の形状、縮尺、縦横の寸法比等を、実物から変更又は誇張している。また、図面においては、部材の断面を示すハッチングを適宜に省略する。
本明細書等において、形状、幾何学的条件、これらの程度を特定する用語、例えば、「平行」、「直交」、「方向」等については、その用語の厳密な意味に加えて、同様の光学的機能を奏し、ほぼ平行、ほぼ直交等とみなせる程度の範囲、概ねその方向とみなせる範囲を含む。
【００１１】
図１は、本実施形態の調光装置１０を説明する図である。図１（Ａ）は、調光装置１０の分解斜視図である。図１（Ａ）は、後述する調光板１１，１２とフレーム２０との構成を説明するための部分的な分解斜視図である。図１（Ｂ）は、調光装置１０の厚み方向に平行且つ鉛直方向に平行な断面における部分断面図である。図１（Ｂ）では、ベース部材２１Ｂの図示を省略している。
【００１２】
図２は、フレーム２０の分解平面図である。
図３は、フレーム２０を説明する図である。図３（Ａ）は、フレーム２０の平面図である。図３（Ｂ）は、フレーム２０を矢視Ａから見たときの側面図である。
図４は、調光装置１０への意匠シート３０の貼り付けを説明する図である。
なお、図面及び以下の説明においては、理解を容易にするために、調光装置１０の左右方向をＸ方向、上下方向をＹ方向、厚さ方向をＺ方向とする。左右方向（Ｘ方向）のうち、右側をＸ１側、左側をＸ２側とする。上下方向（Ｙ方向）のうち、上側をＹ１側とし、下側をＹ２側とする。厚さ方向（Ｚ方向）のうち、表面側をＺ１側、裏面側をＺ２側とする。また、本実施形態において、調光装置１０は、上下方向（Ｙ方向）が鉛直方向と一致するように使用されるものとする。
図４（Ａ）は、意匠シート３０がフレーム２０の表面側（Ｚ１側）に配置された例を示す図である。意匠シート３０がフレーム２０の表面の４辺全てに配置されているが、これに限らず、少なくとも１辺に配置されていればよい。例えば、フレーム２０の２辺以上に意匠シート３０が配置される場合、同じ意匠を有する意匠シートを全辺に配置してもよいし、異なる意匠を有する意匠シートを各辺に配置してもよい。図４（Ｂ）は、意匠シート３０がフレーム２０の表面側（Ｚ１側）及び裏面側（Ｚ２側）に配置された例を示す図である。図４（Ｃ）は、意匠シート３０がフレーム２０の表面側（Ｚ１側）及び側面（Ｘ１、Ｘ２、Ｙ１、Ｙ２側）に配置された例を示す図である。図４（Ｄ）は、意匠シート３０がフレーム２０の表面側（Ｚ１側）、裏面側（Ｚ２側）及び側面（Ｘ１、Ｘ２、Ｙ１、Ｙ２側）に配置された例を示す図である。
【００１３】
（調光装置の概要）
本実施形態の調光装置１０は、図１（Ａ）、（Ｂ）に示すように、フレーム２０の内部に、一対の調光板１１，１２（後述）が対向するように配置されている。調光装置１０において、一対の調光板１１，１２の少なくとも一方の調光板を左右方向（Ｘ方向、以下、スライド方向Ｓともいう）にスライドさせて他方の調光板との間で重なり合う部位を変化させることにより、光の透過率を制御することができる。なお、図１では、スライド方向Ｓが調光板１１，１２の表面に沿うように設定されているが、これに限らず、スライド方向Ｓが調光板１１，１２の表面に非平行に交差するように設定されていてもよい。
【００１４】
（フレームの構成）
フレーム２０は、調光板１１，１２の外周縁を囲み、調光板１１，１２をスライド方向（第１の方向）Ｓに相対移動可能に保持する構造体である。フレーム２０は、図２に示すように、フレーム部材２１、２２、２３、２４及びジョイント２５、２６、２７、２８により構成される。
【００１５】
フレーム部材２１〜２４は、調光板１１，１２の各辺を保持する部材である。フレーム部材２１は、フレーム２０の下側（Ｙ２側）の辺となる部材である。フレーム部材２２は、フレーム２０の左側（Ｘ２側）の辺となる部材である。フレーム部材２３は、フレーム２０の上側（Ｙ１側）の辺となる部材である。フレーム部材２４は、フレーム２０の右側（Ｘ１側）の辺となる部材である。
【００１６】
ジョイント２５は、フレーム部材２１の左側（Ｘ２側）の端部とフレーム部材２２の下側（Ｙ２側）の端部とを接続する部材である。ジョイント２６は、フレーム部材２３の左側（Ｘ２側）の端部とフレーム部材２２の上側（Ｙ１側）の端部とを接続する部材である。ジョイント２７は、フレーム部材２３の右側（Ｘ１側）の端部とフレーム部材２４の上側（Ｙ１側）の端部とを接続する部材である。ジョイント２８は、フレーム部材２１の右側（Ｘ１側）の端部とフレーム部材２４の下側（Ｙ２側）の端部とを接続する部材である。
【００１７】
図１（Ａ）に一例を示すように、ジョイント２８の差し込み部２８ａは、フレーム部材２１の右側（Ｘ１側）の端部（ベース部材２１Ｂ）に接続される。他のジョイント２５〜２７についても、それぞれ対向するフレーム部材の端部に接続される。
フレーム部材２１〜２４は、隣接する各端部同士がジョイント２５、２６、２７、２８で接続されることにより、図３に示すように、調光板１１，１２の外周縁を囲むように保持する矩形状の枠体として構成される。調光板１１，１２は、調光装置１０の厚さ方向（Ｚ方向）に重ねられた状態で、フレーム部材２１、２２、２３、２４によって、４辺が保持される。
【００１８】
フレーム部材２１〜２４は、図１（Ａ）に示すように、レール部材２１Ａ及びベース部材２１Ｂを備える。ここでは、フレーム部材２１を代表して説明するが、フレーム部材２２〜２４についても同様に構成されている。
フレーム部材２１は、金属、樹脂、木材等の材料により作製される。フレーム部材２１の材料を金属とした場合、レール部材２１Ａ及びベース部材２１Ｂは、例えば、アルミニウムを押出し成形することにより作製することができる。レール部材２１Ａとベース部材２１Ｂとを接合することにより、フレーム部材２１を作製することができる。なお、レール部材２１Ａ及びベース部材２１Ｂは、使用される材料により異なるが、例えば、ねじ止め、接着剤、溶接等により接合することができる。
【００１９】
レール部材２１Ａは、底部２１ａの基準面２１ｄから突出する第１の壁部２１ｂと、第２の壁部２１ｃと、を備える。第１の壁部２１ｂ及び第２の壁部２１ｃの間に、調光板１１及び調光板１２が重なった状態で、それらの端部が挿入されている。一対の調光板１１，１２は、第１の壁部２１ｂ及び第２の壁部２１ｃの間に挿入されることにより、板同士の間隙が調整されると共に、フレーム２０から外れることが抑制される。
【００２０】
レール部材２１Ａは、調光板１１，１２を同じ基準面２１ｄで相対移動可能に支持する部材であり、断面凹形状に形成されている。調光板１１，１２は、レール部材２１Ａの同じ基準面２１ｄ上に置かれることにより、位置精度よく設置することができ、透過率の調整を適切に行うことができる。例えば、透明時にスジが見えるのを低減することができ、遮光時の光漏れも少なくすることができる。
【００２１】
ベース部材２１Ｂは、レール部材２１Ａを支持する部材であり、中空の四角柱状に形成されている。先に一例として説明したジョイント２８の差し込み部２８ａは、ベース部材２１Ｂの内部に形成された開口領域（符号略）に差し込まれる。
【００２２】
図１（Ａ）に示すように、フレーム部材２１は、レール部材２１Ａとベース部材２１Ｂの厚さｔｈ１が同じ寸法となるように形成されている。そのため、レール部材２１Ａとベース部材２１Ｂとを接合すると、フレーム部材２１の表面２１ｅ及び裏面２１ｆは段差のない平坦な面となる。フレーム部材２２〜２４についても同様に構成されている。本実施形態において、「平坦な面」とは、溝、孔、段差等の凹凸のない面だけでなく、フレーム部材２１とシート材等との接触面積が十分確保でき、シート材等がフレーム部材２１から剥がれを抑制できる程度に凹凸がない面を含むものとする。
なお、表面２１ｅ及び裏面２１ｆは、フレーム部材２１の表裏面を示しているが、以下の説明では、フレーム２０全体の表裏面を表面２１ｅ及び裏面２１ｆともいう。
【００２３】
また、フレーム同士を接続するジョイント２５〜２８の厚さもフレーム部材２１〜２４と同じ厚さに形成されている。即ち、図１（Ａ）に一例を示すように、ジョイント２８は、四角形の本体部分における厚さｔｈ２が、フレーム部材２１の厚さｔｈ１と同じ寸法となるように形成されている。ジョイント２５〜２７についても同じである。そのため、フレーム部材２１〜２４の隣接する各端部同士をジョイント２５〜２８で接続すると、フレーム２０の表面２１ｅと裏面２１ｆは、図３（Ｂ）に示すように、全体として段差のない平坦な面となる。また、図３（Ａ）、（Ｂ）に示すように、フレーム２０の４辺の側面２１ｓ、２２ｓ、２３ｓ、２４ｓについても、それぞれ段差のない平坦な面となる。
【００２４】
そのため、図４に示すように、本実施形態の調光装置１０は、フレーム２０の表面２１ｅに意匠シート３０を直接貼り付けることができる。意匠シート３０は、例えば、木目模様、大理石模様等の意匠が施されたシート材である。意匠シート３０は、意匠が施された面と反対側の面に接着層（不図示）が形成されている。意匠シート３０において、その接着層を覆う剥離紙を剥がすことにより、フレーム２０に直接貼り付けることができる。
【００２５】
なお、フレーム２０は、裏面２１ｆについても、全体として段差のない平坦な面であるため、裏面２１ｆにも意匠シート３０を直接貼り付けることができる。同様に、フレーム２０は、側面２１ｓ〜２４ｓについても、それぞれ段差のない平坦な面であるため、これらの面にも意匠シート３０を直接貼り付けることができる。
【００２６】
（調光板の保持機構）
図１（Ｂ）に示すように、調光板１１，１２の端部には、スライダ３１，３２が貼り付けられている。スライダ３１，３２は、調光板１１，１２と、レール部材２１Ａの第１の壁部２１ｂ及び第２の壁部２１ｃとの滑りやすさを調整する滑り調整部材として機能する部材である。
また、スライダ３１，３２は、風、振動等により調光板１１，１２が不用意に移動して調光が変化してしまうのを抑制するために、適度な摩擦力を付与する機能を有する。このため、スライダ３１，３２は、表面にエンボス形状や、プリズム形状等が形成されたシートを用いることができる。例えば、スライダ３１，３２が基準面２１ｄと接する面は、極力滑りやすくなるように材料を選び、第１の壁部２１ｂ，第２の壁部２１ｃと接する面に上記エンボス形状やプリズム形状を形成するようにしてもよい。
【００２７】
スライダ３１，３２は、調光板１１，１２の端部がレール部材２１Ａの第１の壁部２１ｂ、第２の壁部２１ｃと直接触れるのを防止して、傷の発生を抑制する保護部材としても機能する。スライダ３１，３２は、調光板１１，１２の端部の表側面、内側面及び厚み部分を被覆している。スライダ３１，３２は、例えば、ＡＢＳ樹脂等のテープを用いることができる。スライダ３１，３２は、基本的には、調光板１１，１２に直接貼り付けられている。スライダ３１，３２は、調光板１１，１２に貼付した例で示してあるが、フレーム部材２１の凹溝の内側に貼ってもよい。
【００２８】
スライダ３１は、調光板１１の内側面（調光板１２に対向する面）に直接貼り付けられておらず、スペーサ３３を挟んで貼り付けられている。スペーサ３３は、２枚の調光板１１，１２の間に配置されることにより、調光板１１，１２同士を所望の間隔に調整することができる。調光板１１，１２同士の間隔を適切に調整することにより、２枚の調光板１１，１２が接触して傷付くことを抑制することができる。スペーサ３３は、薄いアルミ板、ガラス板、樹脂板等を使用することができる。スペーサ３３の厚みは、２枚の調光板１１，１２の歪み、厚み、大きさ等の要因を考慮して両者が接触しない程度の値に設定することができ、例えば、０．１〜１ｍｍの範囲としてもよい。スペーサ３３の厚みを、このような範囲とすることにより、２枚の調光板１１，１２が接触するのを抑制しつつ、斜視時の光漏れを軽減することができる。
【００２９】
（調光板の概要）
図５は、一対の調光板１１、１２の構成を詳細に示す図である。調光板（第１の調光板）１１は、透明基板１３に、第１の偏光層１４、第１の位相差層１５を積層配置して形成される。透明基板１３は、例えば、平板状のガラス板、アクリル板等により構成される。
【００３０】
第１の偏光層１４は、直線偏光板として機能する光学機能層である。第１の偏光層１４は、例えば、ポリビニルアルコール（ＰＶＡ）によるフィルム材に、ヨウ素化合物分子を吸着配向させることにより作製される。そして、第１の偏光層１４を、例えば、ＴＡＣ（Ｔｒｉａｃｅｔｙｌｃｅｌｌｕｌｏｓｅ）等による透明フィルムからなる基材により挟持することにより、シート・ポラライザーによる直線偏光板１４Ａが作製される。第１の偏光層１４は、この直線偏光板１４Ａを光硬化性樹脂等の接着剤層により透明基板１３に貼合せすることにより配置される。なお、基材を省略して第１の偏光層１４のみを配置してもよい。また、シート・ポラライザーによる直線偏光板に代えてワイヤーグリッド型の直線偏光板、塗工型の直線偏光板等、種々の構成を適用することができる。
【００３１】
第１の位相差層１５は、第１の偏光層１４に積層して配置される。例えば、第１の位相差層１５を備える位相差フィルム１５Ａを、光硬化性樹脂等の接着剤層により第１の偏光層１４に貼り合わせる。なお、第１の偏光層１４と透明基板１３との積層体に配置してもよく、第１の偏光層１４と積層した後、透明基板１３と積層してもよい。ここで、位相差フィルム１５Ａは、ＴＡＣ等による透明フィルム材にパターンニングしてなる配向層を作製し、この配向層の配向規制力により液晶材料を配向させた状態で硬化させることにより第１の位相差層１５を作製することができる。ここで、配向層は、ラビング処理により作製してもよく、光配向層を適用しても良く、賦型処理によりライン状凹凸形状を成形することにより作製してもよい。なお、位相差層１５を第１の偏光層１４に積層した後、基材を剥離して取り除くことにより、第１の位相差層１５のみを積層してもよい。
【００３２】
調光板（第２の調光板）１２は、調光板１１と同様に、直線偏光板１８Ａ、位相差フィルム１９Ａの積層により、透明基板１７に第２の偏光層１８、第２の位相差層１９を積層して形成される。図５に示すように、調光板１１から調光板１２に入射する光の光路において、第１の偏光層１４、第１の位相差層１５、第２の位相差層１９、第２の偏光層１８の順に配置される。
【００３３】
第１の偏光層１４、第２の偏光層１８は、例えば、互いにクロスニコルの関係となるように配置される。図５では、第１の偏光層１４、第２の偏光層１８のそれぞれの透過軸が矢印により模式的に示されている。
【００３４】
図６は、調光板１１，１２の位相差領域を説明する図である。図６に示すように、第１の位相差層１５には、互いに遅相軸が異なる第１の位相差領域Ａ１及び第２の位相差領域Ｂ１が、第１の方向Ｄ１に沿って交互に形成されている。第１の位相差領域Ａ１及び第２の位相差領域Ｂ１は、第１の方向Ｄ１に直交する方向に帯状に延びるように形成されている。調光板１１は、第１の位相差領域Ａ１及び第２の位相差領域Ｂ１を一単位とする、複数の第１の調光領域ＡＲ１を有する。従って、調光板１１は、第１の方向Ｄ１に沿って光学特性が変化する。
【００３５】
同様に、第２の位相差層１９には、互いに遅相軸が異なる第３の位相差領域Ａ２及び第４の位相差領域Ｂ２が、第２の方向Ｄ２に沿って交互に形成されている。第３の位相差領域Ａ２及び第４の位相差領域Ｂ２は、第２の方向Ｄ２に直交する方向に帯状に延びるように形成されている。本実施形態では、第１、第２の方向を呼称する場面において、その方向をスライド方向ともいう。調光板１２は、第３の位相差領域Ａ２及び第４の位相差領域Ｂ２を一単位とする、複数の第２の調光領域ＡＲ２を有する。従って、調光板１２は、第２の方向Ｄ２に沿って光学特性が変化する。
調光板１１、調光板１２は、例えば、平面視において矩形形状となるように形成され、調光装置１０では、この矩形形状の１辺の延長方向がスライド方向Ｓに設定される。
【００３６】
第１の位相差領域Ａ１及び第２の位相差領域Ｂ１は、第１の偏光層１４の透過軸方向及び吸収軸方向に対して、第１の偏光層１４の側より見て、互いに遅相軸方向が異なる。例えば、遅相軸が、第１の偏光層１４の透過軸に対して時計方向及び反時計方向にそれぞれ４５度の角度を成す関係となるように設定される。同様に、第３の位相差領域Ａ２及び第４の位相差領域Ｂ２は、第２の偏光層１８の透過軸方向及び吸収軸方向に対して、第２の偏光層１８の側より見て、互いに遅相軸方向が異なる。例えば、遅相軸が、第２の偏光層１８の透過軸に対して、時計方向及び反時計方向にそれぞれ４５度の角度を成す関係となるように設定される。なお、図６においては、便宜上、各領域Ａ１、Ａ２、Ｂ１、Ｂ２における遅相軸方向を斜めの直線により示す。また、第１の位相差層１５、第２の位相差層１９は、透過光に１／４波長の位相差を付与して１／４波長位相差層として機能する厚みにより作製される。なお、第１の位相差層１５、第２の位相差層１９の厚みは、実用上十分な範囲で１／４波長とは異なる位相差を付与する厚みにより作製してもよい。
【００３７】
例えば、調光板１１側から光が入射する場合、第１の偏光層１４により直線偏光となった光を、第１の位相差領域Ａ１、第２の位相差領域Ｂ１で回転方向がそれぞれ逆向きの円偏光に変換して出射する。そして、第３の位相差領域Ａ２、第４の位相差領域Ｂ２により、位相差を付与して元の直線偏光又はこれと９０度偏光方向の異なる直線偏光に変換して第２の偏光層１８に到達する。これにより、調光装置１０を透過する光の透過率を制御することができる。なお、調光板１２側から光が入射する場合も同様である。このように、調光装置１０では、調光板１１、調光板１２の各領域Ａ１、Ａ２、Ｂ１、Ｂ２の重なり合いにより、元の直線偏光により第２の偏光層１８、第１の偏光層１４に入射する部位の面積と、元の直線偏光と９０度偏光方向の異なる直線偏光により第２の偏光層１８、第１の偏光層１４に入射する部位の面積とが変化する。
【００３８】
調光装置１０では、偏光した入射光に対する光学特性が、スライド方向に対応する第１の方向で変化する第１の調光領域ＡＲ１を、この第１の方向に繰り返し備えてなるように調光板１１が形成される。また、調光板１２は、調光板１１に対向するように保持され、第１の調光領域ＡＲ１に対応する第２の調光領域ＡＲ２を、第１の方向に対応する第２の方向に繰り返し備えるように形成される。
【００３９】
調光板１１、調光板１２の構成として、光学特性が第１、第２の方向に沿って変化する調光領域を、この第１、第２の方向に繰り返し備えた種々の構成を適用することができる。
図７は、調光板１１，１２の他の構成を説明する図である。例えば、図７に示すように、面内で偏光による透過軸をパターンニングした第１の偏光層１４、第２の偏光層１８により、調光板１１、調光板１２を作製してもよい。この場合、この第１の偏光層１４、第２の偏光層１８のパターンニングにより、スライド方向Ｓに対応する方向に、透過軸方向が９０度異なる領域である第１の偏光領域Ａ、第２の偏光領域Ｂを順次交互に設けるようにして、この領域Ａ及びＢにより調光領域ＡＲ１、ＡＲ２を構成してもよい。例えば、領域Ａ、Ｂの透過軸方向は、帯状領域の延長方向及び幅方向に設定される。なお、この場合、第１の位相差層１５、第２の位相差層１９は省略される。
調光領域ＡＲ１、ＡＲ２は、偏光による透過軸に対する遅相軸のなす角が第１の方向Ｄ１又は第２の方向Ｄ２に沿って漸次変化する領域であってもよい。
【００４０】
帯状領域Ａ及びＢに代えて、矩形形状による領域Ａ及びＢを市松状に配置して矩形形状により調光領域を形成する場合、菱形形状による領域Ａ、Ｂを順次交互に配置して平行四辺形形状により調光領域を形成する場合等、調光領域においては、種々の形状、配列を適用することができる。これらの場合、スライド方向Ｓが複数存在することがあり得る。
【００４１】
上述した本実施形態の調光装置１０において、フレーム２０の表面２１ｅは、全体として段差のない平坦な面となる。そのため、調光装置１０は、フレーム２０の表面２１ｅに意匠シート３０を直接貼り付けることができる。これによれば、フレーム２０の表面２１ｅに、平坦化のための板材等を貼り付ける必要がないため、部品コストを削減することができる。また、フレーム２０の表面２１ｅに板材等を貼り付ける作業を省くことができるため、作業効率を向上させることができる。また、本実施形態のフレーム２０は、表面２１ｅだけでなく、裏面２１ｆも全体として段差のない平坦な面であるため、フレーム２０の裏面２１ｆにも意匠シート３０を直接貼り付けることができる。更に、本実施形態のフレーム２０は、側面２１ｓ〜２４ｓもそれぞれ段差のない平坦な面であるため、これらの面にも意匠シート３０を直接貼り付けることができる。このように、本実施形態の調光装置１０は、フレーム２０のどの面にも、意匠シート３０を直接貼り付けることができる。
【００４２】
以上、本発明の実施形態について説明したが、本発明は、前述した実施形態に限定されるものではなく、後述する変形形態のように種々の変形や変更が可能であって、それらも本発明の技術的範囲内である。実施形態に記載した効果は、本発明から生じる最も好適な効果を列挙したに過ぎず、実施形態に記載したものに限定されない。なお、上述の実施形態及び後述する変形形態は、適宜組み合わせて用いることもできるが、詳細な説明は省略する。
【００４３】
（変形形態）
（１）図８は、変形形態のフレーム２００を説明する図である。図８は、実施形態の図１（Ｂ）に対応する部分断面図である。図８では、フレーム２００を構成するフレーム部材のうち、実施形態のフレーム部材２１に対応するフレーム部材２１０を例として説明する。フレーム２００において、他のフレーム部材についても同様に構成されている。なお、変形形態では、実施形態と同じ構成部材に同一符号を付して説明は省略する。
【００４４】
図８に示すように、本形態のフレーム部材２１０は、断面凹形状のレール部材２１０Ａと、レール部材２１０Ａを支持するベース部材２１０Ｂとが一体に形成されている。
レール部材２１０Ａは、ベース部材２１０Ｂとの間に位置する底部２１０ａの基準面２１０ｄから突出する第１の壁部２１１と、第２の壁部２１２と、を備える。第１の壁部２１１及び第２の壁部２１２の間に、調光板１１及び調光板１２が重なった状態で、それらの端部が挿入されている。
【００４５】
第１の壁部２１１は、調光板１１に貼り付けられたスライダ３１と当接するスライダ当接部２１１ａ及び２１１ｂ（以下、適宜に符号を省略する）を有する。スライダ当接部２１１ａ及び２１１ｂは、第１の壁部２１１において、調光板１１側に突出した断面略Ｌ字形の部分であり、フレーム部材２１０の長手方向に沿って延在している。スライダ当接部２１１ａと２１１ｂにおいて、Ｌ字形の先端部は、間隔ｓだけ離れて対向するように形成されている。これにより、スライダ当接部２１１ａと２１１ｂの内部には、断面凸形の空間が形成されている。本形態において、調光板１１に貼り付けられたスライダ３１は、レール部材２１０Ａの上端部まで延在している。
【００４６】
第２の壁部２１２は、調光板１２に貼り付けられたスライダ３２と当接するスライダ当接部２１２ａ及び２１２ｂ（以下、適宜に符号を省略する）を有する。スライダ当接部２１２ａ及び２１２ｂの形状は、調光板１１，１２を間に挟んで、先に説明したスライダ当接部２１１ａ及び２１１ｂと対象形状となるように形成されているため、重複する説明を省略する。スライダ当接部２１２ａは、スライダ当接部２１１ａに対応する。スライダ当接部２１２ｂは、スライダ当接部２１１ｂに対応する。本形態において、調光板１２に貼り付けられたスライダ３２は、レール部材２１０Ａの上端部まで延在している。
【００４７】
第１の壁部２１１及び第２の壁部２１２は、それぞれのスライダ当接部が調光板１１，１２側に突出している。そのため、第１の壁部２１１及び第２の壁部２１２の厚みを、実施形態におけるレール部材２１Ａの第１の壁部２１ｂ及び第２の壁部２１ｃ（図１参照）の厚みよりも薄くすることができる。従って、本形態において、レール部材２１０Ａの断面積は、実施形態のレール部材２１Ａの断面積よりも小さくなる。
【００４８】
ベース部材２１０Ｂは、内部に凹凸が形成された中空構造を有する。具体的には、ベース部材２１０Ｂの内部には、内側に向けて突出した凸部２２１と、内側から窪んだ凹部２２２とが形成されている。凸部２２１は、ベース部材２１０Ｂの断面において、４か所の側面に形成されている。凹部２２２は、ベース部材２１０Ｂの断面において、４か所の隅（角部）に形成されている。このように、ベース部材２１０Ｂは、厚みが均一ではなく、内側から窪んだ凹部２２２を有する。そのため、本形態において、ベース部材２１０Ｂの断面積は、実施形態のベース部材２１Ｂ（図１参照）の断面積よりも小さくなる。
【００４９】
上述した本形態のフレーム２００においても、その表面、裏面及び側面は、段差のない平坦な面となるため、意匠シート３０を直接貼り付けることができる。また、本形態のフレーム２００は、レール部材２１０Ａ及びベース部材２１０Ｂの断面積を、実施形態におけるレール部材２１Ａ及びベース部材２１Ｂの断面積よりも小さくできるため、実施形態のフレーム２００よりも軽量化することができる。
【００５０】
本形態のフレーム２００において、レール部材２１０Ａのスライダ当接部２１１ａ、２１１ｂ、２１２ａ、２１２ｂ及びベース部材２１０Ｂの凸部２２１、凹部２２２は、それぞれ部材内部の補強構造としての役割を果たすため、本形態のフレーム２００は、調光板１１，１２を保持する枠体としての強度を維持しながら、軽量化することができる。
【００５１】
本形態のフレーム２００において、レール部材２１０Ａ及びベース部材２１０Ｂは、一体に形成されているため、レール部材２１０Ａ及びベース部材２１０Ｂをそれぞれ別体で作製して接合した構造に比べて、フレーム２００としての強度を高めることができる。
【００５２】
また、先に説明した実施形態のフレーム２０は、図１（Ｂ）に示すように、第１の壁部２１ｂと調光板１１との間及び第２の壁部２１ｃと調光板１２との間に、それぞれ隙間が生じている。そのため、この隙間から内部に塵、埃等が侵入する可能性がある。また、調光装置１０を組み立てる際に、第１の壁部２１ｂ及び第２の壁部２１ｃの内側の角部に指等が接触する可能性もある。これを回避するため、スライダ３１及び３２をレール部材２１Ａの上端部まで延在させることが考えらえる。しかし、実施形態のレール部材２１Ａでは、延在させたスライダ３１及び３２のほぼ全面が第１の壁部２１ｂ及び第２の壁部２１ｃと当接する。そのため、スライダ３１及び３２をレール部材２１Ａの上端部まで延在させると、調光板１１，１２の摺動抵抗が増えることが考えられる。
【００５３】
これに対して、本形態のレール部材２１０Ａは、図８に示すように、スライダ当接部において、Ｌ字形の先端部が間隔ｓだけ離れているため、スライダ３１及び３２をレール部材２１０Ａの上端部まで延在させた場合でも、実施形態よりもスライダ３１及び３２と当接する面積を小さくすることができる。そのため、摺動抵抗を増やすことなしに、調光板１１，１２との隙間を埋めることができる。従って、本形態のフレーム２００によれば、摺動抵抗を増やすことなしに、レール部材２１０Ａと調光板１１，１２との隙間から内部に塵、埃等が侵入したり、レール部材２１０Ａの内側の角部に指等が接触したりする不具合を回避することができる。
【００５４】
本形態のフレーム２００は、レール部材２１０Ａを長くして、調光板１１，１２がレール部材２１０Ａに挿入される領域をより多くしても、摺動抵抗を増やすことがない。そのため、調光板１１，１２をＸ方向に移動させたときに、調光装置１０の左右方向の端部から調光板１１，１２の側面が見えてしまう不具合を回避することができる。
【００５５】
本形態のフレーム２００を構成する各フレームを、例えば、押出し成形で製造する場合、レール部材２１０Ａとベース部材２１０Ｂとの体積差が大きいと、型（ダイ）からフレームを取り出しにくくなることが考えられる。しかし、本形態の構成によれば、レール部材２１０Ａに設けられたスライダ当接部の形状を適宜に調整することにより、レール部材２１０Ａとベース部材２１０Ｂとの体積差を少なくすることができる。そのため、押出し成形において、型からのフレーム部材の取り出しを容易にすることができる。
【００５６】
（２）上述した実施形態では、フレーム２０の表面２１ｅ、裏面２１ｆ及び側面２１ｓから２４ｓを、それぞれ段差のない平坦な面とした例について説明したが、これに限定されない。フレーム２０の表面２１ｅ、裏面２１ｆ、側面２１ｓ〜２４ｓのうち、いずれか１つの面のみを平坦な面としてもよい。また、各面において、そのすべてを平坦な面としなくてもよく、いずれか１辺のみを平坦な面としてもよい。
【００５７】
（３）上述した実施形態では、調光板１１を調光板１２に対してスライド方向Ｓにスライドさせる例について説明したが、これに限定されない。調光板１２を調光板１１に対してスライドさせる構成としてもよい。
【００５８】
（４）上述した実施形態では、フレーム２０の表面２１ｅに意匠シート３０を貼り付ける例について説明したが、これに限定されない。意匠シート３０の代わりに、例えば、調光装置１０の全面を覆うカバーガラスを貼り付けてもよいし、反射防止機能を備えたシート材を貼り付けてもよい。
【００５９】
（５）上述した実施形態では、配向層の配向規制力により液晶材料を固化して位相差層を作製する場合について述べたが、これに限定されない。例えば、位相差層に光配向性の液晶ポリマーを適用することにより、配向層を省略してもよい。
【００６０】
（６）上述した実施形態では、偏光層をクロスニコルにより配置する場合について述べたが、これに限定されない。偏光層をパラレルニコルにより配置するようにしてもよい。
（７）上述した実施形態では、フレームの開口形状が四角形である場合について述べたが、これに限定されない。フレームの開口形状の例として、四角形以外の多角形、円形等を更に挙げることができる。図９は、フレーム２０の他の構成を説明する図である。フレーム２０の開口形状は円形である。フレーム２０は、第１の調光板１１及び第２の調光板１２の外周縁を囲み、第１の調光板１１及び第２の調光板１２を、第１の調光板１１が第２の調光板１２に対して回転するように相対的にスライド可能に保持する。例えば、第１の調光板１１がその円周方向に回転することにより、第１の調光板１１が第２の調光板１２に対して回転するように相対的にスライド可能となる。図９（Ａ）は、光の透過する明状態を示す。図９（Ｂ）は、図９（Ａ）の位置から第１の調光板１１を１８０度回転させて、光の透過が制限された暗状態とした場合を示す。
【符号の説明】
【００６１】
１０    調光装置
１１，１２    調光板
２０，２００    フレーム
２１〜２４    フレーム部材
２５〜２８    ジョイント
【図１】
2017219777.tif 000003
【図２】
2017219777.tif 000004
【図３】
2017219777.tif 000005
【図４】
2017219777.tif 000006
【図５】
2017219777.tif 000007
【図６】
2017219777.tif 000008
【図７】
2017219777.tif 000009
【図８】
2017219777.tif 000010
【図９】
2017219777.tif 000011